(57)【要約】【課題】シート搬送装置及び折機において、シートを挟持して搬送する一対の搬送ベルトの隙間を高精度に調整してシート搬送精度の向上を図ると共に折り精度の向上を図る。【解決手段】折帖Ｓを挟持して搬送する上下の搬送ベルト１１，２１（搬送ベルト本体１１ａ〜１１ｈ，２１ａ〜２１ｈ）の隙間を調整する隙間調整装置４１として、第２支持軸４７に支持される第２支持アーム５４ａ〜５４ｄと、この第２支持アーム５４ａ〜５４ｄに対して回動自在な回動レバー５６ａ〜５６ｄと、この回動レバー５６ａ〜５６ｄの先端に設けられて上搬送ベルト本体１１ａ〜１１ｈを案内するガイドローラ１３ａ〜１３ｈと、第２支持アーム５４ａ〜５４ｄに対する回動レバー５６ａ〜５６ｄの回動角度を調整してガイドローラ１３ａ〜１３ｈを移動することで上搬送ベルト本体１１ａ〜１１ｈを移動する調整部材７１ａ〜７１ｄを設ける。【選択図】      図１
2009018885.tif 000002
【特許請求の範囲】
【請求項１】
シートを挟持して搬送する第１、第２搬送ベルトと、該第１、第２搬送ベルトの間に形成される隙間を調整する隙間調整手段とを具え、前記隙間調整手段は、フレームに支持される支持部材と、該支持部材に対してシートの幅方向に沿った軸心をもって回動自在に支持される回動レバーと、該回動レバーの一端部に設けられて前記第１、第２搬送ベルトのいずれか一方を案内するガイドローラと、前記支持部材に対する前記回動レバーの回動角度を調整して前記ガイドローラを移動することで前記第１、第２搬送ベルトの他方に対する前記第１、第２搬送ベルトの一方の相対位置を変更する調整部材とを有することを特徴とするシート搬送装置。
【請求項２】
請求項１に記載のシート搬送装置において、前記回動レバーは、前記調整部材により一方方向に回動可能であると共に、第１付勢部材により他方方向に回動付勢支持されることを特徴とするシート搬送装置。
【請求項３】
請求項２に記載のシート搬送装置において、前記回動レバーは、中間部が前記支持部材に回動自在に支持され、一端部側に前記調整部材が設けられ、他端部側に前記第１付勢部材が設けられることを特徴とするシート搬送装置。
【請求項４】
請求項１から３のいずれか一つに記載のシート搬送装置において、前記支持部材及び前記回動レバーは、前記フレームにシートの幅方向に沿った支持軸により回動自在に支持され、前記調整部材は、前記支持部材に設けられて前記回動レバーの回動角度を調整可能であることを特徴とするシート搬送装置。
【請求項５】
請求項４に記載のシート搬送装置において、前記第１、第２搬送ベルトの下方に支持テーブルが配設され、前記支持部材は、一端部に支持ローラが回動自在に支持され、第２付勢部材により前記支持ローラが前記支持テーブルの表面に対応した基準面に接触する方向に付勢支持されることを特徴とするシート搬送装置。
【請求項６】
請求項５に記載のシート搬送装置において、前記支持テーブルは、前記フレームにシートの幅方向に沿って移動自在に支持され、前記基準面は前記フレームに設けられることを特徴とするシート搬送装置。
【請求項７】
請求項５または６に記載のシート搬送装置において、前記支持部材に対する前記支持ローラの取付位置を調整する支持ローラ調整機構が設けられることを特徴とするシート搬送装置。
【請求項８】
請求項１から７のいずれか一つに記載のシート搬送装置において、前記調整部材は、前記第１、第２搬送ベルトの隙間の調整量を表示する隙間調整量表示部を有することを特徴とするシート搬送装置。
【請求項９】
請求項１から８のいずれか一つに記載のシート搬送装置において、前記回動レバーにシートの幅方向に沿ってローラ支持軸が支持され、該ローラ支持軸に前記ガイドローラが複数回動自在に支持され、前記複数のガイドローラに前記第１、第２搬送ベルトのいずれか一方が案内されることを特徴とするシート搬送装置。
【請求項１０】
請求項１から９のいずれか一つに記載のシート搬送装置において、前記第１、第２搬送ベルトにより搬送されるシートの搬送経路の所定の位置にシートを当接して停止させるシート位置決め用ストッパが設けられ、前記ガイドローラは、前記シート位置決め用ストッパよりシートの搬送方向の上流側に設けられることを特徴とするシート搬送装置。
【請求項１１】
シートを挟持して搬送する第１、第２搬送ベルトと、該第１、第２搬送ベルトにより搬送されるシートを当接して所定の位置に停止させるシート位置決め用ストッパと、該シート位置決め用ストッパにより停止したシートをチョッパ折りするチョッパ折りブレードとを具えた折機において、前記第１、第２搬送ベルトの間に形成される隙間を調整する隙間調整手段を設け、該隙間調整手段は、フレームに支持される支持部材と、該支持部材に対してシートの幅方向に沿った軸心をもって回動自在に支持される回動レバーと、該回動レバーの一端部に設けられて前記第１、第２搬送ベルトのいずれか一方を案内するガイドローラと、前記支持部材に対する前記回動レバーの回動角度を調整して前記ガイドローラを移動することで前記第１、第２搬送ベルトの他方に対する前記第１、第２搬送ベルトの一方の相対位置を変更する調整部材とを有することを特徴とする折機。
【発明の詳細な説明】
【技術分野】
【０００１】
本発明は、シートとして、特に折帖を搬送するシート搬送装置、並びに、このシート搬送装置が適用された折機に関するものである。
【背景技術】
【０００２】
一般的な輪転機に設けられる従来の折機において、印刷ユニットにより印刷が施されたウェブは、その幅方向中央において２つ折り（縦折り）され、この状態で一対のニッピングローラに狭持されながら咥え胴と折胴の間へ送り込まれ、所定位置にて、幅方向に沿って切断されると共に横折されて折帖となる。この折帖は、咥え胴の爪により把持されて折帖搬送装置に送られる。この折帖搬送装置は、上下一対の搬送ベルトが折帖を挟持して搬送するものであり、各搬送ベルトは、幅方向に並設された複数の無端ベルトからなり、複数のガイドローラにより移動自在に支持されている。そして、この一対の搬送ベルトによる折帖の搬送途中には、チョッパ折部が設けられている。
【０００３】
このチョッパ折部は、折帖が当接して停止するストッパと、このストッパにより停止した折帖を折り畳むブレードにより構成される。このストッパは、チョッパ折部における折帖の下流側端の位置を規制するものであり、折帖の搬送方向に対して直角に向けられて配設されており、各搬送ベルトにより狭持されて搬送される折帖の前端が当接することで、この折帖を位置決めすることができる。ブレードは、このストッパの上流側にて、折帖の搬送方向に平行に向けて折帖の搬送ラインの略中央に配設され、搬送ベルトの上方から各無端ベルトの間の隙間へ下降可能となっている。
【０００４】
従って、折帖が上下の搬送ベルトにより挟まれながらチョッパ折部へ搬送されると、この折帖が所定位置でストッパに当接して停止すると同時に、ブレードが下降して折帖を搬送ベルトの下方に押し込みながら２つに折り畳み、一対の折込ローラに挟持して排紙する。
【０００５】
このような折機にて、上下一対の搬送ベルトは、その挟持力により折帖を保持して搬送するものであり、この折帖を確実に保持して精度良く搬送するために、比較的高い挟持力に設定することが望ましい。一方、チョッパ折部では、搬送ベルトに挟持された折帖をストッパに当接して停止した状態でブレードを下降して折り畳むものであることから、上下の搬送ベルトによる折帖の挟持力が高すぎると、折帖がストッパに当接したとき、また、折帖がストッパに押し付けられた状態でブレードにより下方に押し込まれるとき、折帖の前端に破れや傷などが発生して折精度が低下してしまう。そのため、折機では、上下一対の搬送ベルトによる折帖の挟持力、つまり、チョッパ折部での上下の搬送ベルトの間の隙間を適正に調整する必要がある。
【０００６】
図６は、従来のチョッパ折部における搬送ベルトの隙間調整装置の概略図である。従来の搬送ベルトの隙間調整装置において、図６に示すように、上下一対の搬送ベルト００１，００２は、図示しない複数のガイドローラにより矢印方向に移動自在に支持されている。そして、上搬送ベルト００１は、チョッパ部にて、ストッパ００３を迂回するように、ガイドローラ００４，００５，００６により支持されている。支持アーム００７は、基端部が折帖の幅方向に沿って配設された支持軸００８に固定され、この支持アーム００７にガイドローラ００５が回転自在に支持されている。そして、この支持アーム００７は、先端側が折帖の搬送方向の上流側に延び、端部に取付アーム００９の上端部が２つの取付ボルト０１０により固定されている。そして、この取付アーム００９の下端部にガイドローラ００４が回転自在に支持されている。また、支持アーム００７の先端部には、その上方から調整ボルト０１１が貫通し、先端部が取付アーム００９のフランジ部００９ａに螺合している。更に、支持アーム０１２は、支持アーム００７と同様に、基端部が支持軸００８に固定され、この支持アーム０１２の先端部にガイドローラ００６が回転自在に支持されている。
【０００７】
従って、チョッパ折部のストッパ００３より上流側における上下の搬送ベルト００１，００２の隙間を調整するには、まず、２つの取付ボルト０１０を弛緩して支持アーム００７に対する取付アーム００９の連結を解除する。次に、調整ボルト０１１を回転し、この調整ボルト０１１の先端部に螺合する取付アーム００９を上下動させることで、ガイドローラ００４を上下動する。すると、下搬送ベルト００２に対して上搬送ベルト００１を上下動し、この搬送ベルト００１，００２の隙間を調整することで、折帖の挟持力を調整することができる。
【０００８】
なお、上述した折機としては、例えば、下記特許文献１に記載されたものがある。
【０００９】
【特許文献１】特開平１１−００５６６８号公報
【発明の開示】
【発明が解決しようとする課題】
【００１０】
上述した従来の搬送ベルトの隙間調整装置では、取付ボルト０１０を弛緩して支持アーム００７に対する取付アーム００９の連結を解除した状態で、調整ボルト０１１を回転して取付アーム００９を上下動させ、ガイドローラ００４と共に上搬送ベルト００１を上下動し、この搬送ベルト００１，００２の隙間を調整し、隙間の調整後に、取付ボルト０１０を締結して支持アーム００７に取付アーム００９を連結している。
【００１１】
ところが、ガイドローラ００４は、上搬送ベルト００１から上方への張力を受けており、取付アーム００９は、支持アーム００７に対して連結が解除された状態で、上端部を支点として図６にて反時計回り方向に若干回動してしまう。そのため、この状態で、調整ボルト０１１を回転して取付アーム００９と共にガイドローラ００４を上下動し、搬送ベルト００１，００２の隙間を適正に調整しても、その後、取付ボルト０１０により取付アーム００９を支持アーム００７に固定すると、この取付アーム００９が上搬送ベルト００１の張力に抗して図６にて時計回り方向に若干回動し、ガイドローラ００４の上下位置がずれて搬送ベルト００１，００２の隙間が変動してしまい、搬送ベルト００１，００２の隙間を高精度に調整することが困難となる。
【００１２】
本発明は上述した課題を解決するものであり、シートを挟持して搬送する一対の搬送ベルトの隙間を高精度に調整することでシート搬送精度の向上を図ったシート搬送装置、並びに、折り精度の向上を図った折機を提供することを目的とする。
【課題を解決するための手段】
【００１３】
上記の目的を達成するための請求項１の発明のシート搬送装置は、シートを挟持して搬送する第１、第２搬送ベルトと、該第１、第２搬送ベルトの間に形成される隙間を調整する隙間調整手段とを具え、前記隙間調整手段は、フレームに支持される支持部材と、該支持部材に対してシートの幅方向に沿った軸心をもって回動自在に支持される回動レバーと、該回動レバーの一端部に設けられて前記第１、第２搬送ベルトのいずれか一方を案内するガイドローラと、前記支持部材に対する前記回動レバーの回動角度を調整して前記ガイドローラを移動することで前記第１、第２搬送ベルトの他方に対する前記第１、第２搬送ベルトの一方の相対位置を変更する調整部材とを有することを特徴とするものである。
【００１４】
請求項２の発明のシート搬送装置では、前記回動レバーは、前記調整部材により一方方向に回動可能であると共に、第１付勢部材により他方方向に回動付勢支持されることを特徴としている。
【００１５】
請求項３の発明のシート搬送装置では、前記回動レバーは、中間部が前記支持部材に回動自在に支持され、一端部側に前記調整部材が設けられ、他端部側に前記第１付勢部材が設けられることを特徴としている。
【００１６】
請求項４の発明のシート搬送装置では、前記支持部材及び前記回動レバーは、前記フレームにシートの幅方向に沿った支持軸により回動自在に支持され、前記調整部材は、前記支持部材に設けられて前記回動レバーの回動角度を調整可能であることを特徴としている。
【００１７】
請求項５の発明のシート搬送装置では、前記第１、第２搬送ベルトの下方に支持テーブルが配設され、前記支持部材は、一端部に支持ローラが回動自在に支持され、第２付勢部材により前記支持ローラが前記支持テーブルの表面に対応した基準面に接触する方向に付勢支持されることを特徴としている。
【００１８】
請求項６の発明のシート搬送装置では、前記支持テーブルは、前記フレームにシートの幅方向に沿って移動自在に支持され、前記基準面は前記フレームに設けられることを特徴としている。
【００１９】
請求項７の発明のシート搬送装置では、前記支持部材に対する前記支持ローラの取付位置を調整する支持ローラ調整機構が設けられることを特徴としている。
【００２０】
請求項８の発明のシート搬送装置では、前記調整部材は、前記第１、第２搬送ベルトの隙間の調整量を表示する隙間調整量表示部を有することを特徴としている。
【００２１】
請求項９の発明のシート搬送装置では、前記回動レバーにシートの幅方向に沿ってローラ支持軸が支持され、該ローラ支持軸に前記ガイドローラが複数回動自在に支持され、前記複数のガイドローラに前記第１、第２搬送ベルトのいずれか一方が案内されることを特徴としている。
【００２２】
請求項１０の発明のシート搬送装置では、前記第１、第２搬送ベルトにより搬送されるシートの搬送経路の所定の位置にシートを当接して停止させるシート位置決め用ストッパが設けられ、前記ガイドローラは、前記シート位置決め用ストッパよりシートの搬送方向の上流側に設けられることを特徴としている。
【００２３】
また、請求項１１の発明の折機は、シートを挟持して搬送する第１、第２搬送ベルトと、該第１、第２搬送ベルトにより搬送されるシートを当接して所定の位置に停止させるシート位置決め用ストッパと、該シート位置決め用ストッパにより停止したシートをチョッパ折りするチョッパ折りブレードとを具えた折機において、前記第１、第２搬送ベルトの間に形成される隙間を調整する隙間調整手段を設け、該隙間調整手段は、フレームに支持される支持部材と、該支持部材に対してシートの幅方向に沿った軸心をもって回動自在に支持される回動レバーと、該回動レバーの一端部に設けられて前記第１、第２搬送ベルトのいずれか一方を案内するガイドローラと、前記支持部材に対する前記回動レバーの回動角度を調整して前記ガイドローラを移動することで前記第１、第２搬送ベルトの他方に対する前記第１、第２搬送ベルトの一方の相対位置を変更する調整部材とを有することを特徴とするものである。
【発明の効果】
【００２４】
請求項１の発明のシート搬送装置によれば、シートを挟持して搬送する第１、第２搬送ベルトの隙間を調整する隙間調整手段として、フレームに支持される支持部材と、支持部材に回動自在に支持される回動レバーと、回動レバーの一端部に設けられて第１、第２搬送ベルトのいずれか一方を案内するガイドローラと、支持部材に対する前記回動レバーの回動角度を調整してガイドローラを移動することで第１、第２搬送ベルトの他方に対する第１、第２搬送ベルトの一方の相対位置を変更する調整部材を設けたので、調整部材により回動レバーの回動角度を調整するだけで、ガイドローラを移動して第１、第２搬送ベルトの相対位置を変更することで、この第１、第２搬送ベルトの隙間を容易に調整することができ、搬送ベルトの隙間を高精度に調整することでシート搬送精度を向上することができる。
【００２５】
請求項２の発明のシート搬送装置によれば、回動レバーを調整部材により一方方向に回動可能とすると共に、第１付勢部材により他方方向に回動付勢支持するので、調整部材により回動レバーを回動するだけで、ガイドローラを移動して第１、第２搬送ベルトの相対位置を変更し、第１、第２搬送ベルトの隙間を容易に調整することができ、調整作業の操作性を向上することができる。
【００２６】
請求項３の発明のシート搬送装置によれば、回動レバーの中間部を支持部材に回動自在に支持し、一端部側に調整部材を設けて他端部側に第１付勢部材を設けるので、調整部材による第１、第２搬送ベルトの隙間の調整作業の操作性を向上することができると共に、回動レバーのがたつきを防止することができる。
【００２７】
請求項４の発明のシート搬送装置によれば、支持部材及び回動レバーをフレームに支持軸をもって回動自在に支持し、支持部材に設けられた調整部材により回動レバーの回動角度を調整可能とするので、支持部材及び回動レバーを一つの支持軸により支持することで、構造の簡素化を図ることができる。
【００２８】
請求項５の発明のシート搬送装置によれば、第１、第２搬送ベルトの下方に支持テーブルを配設し、支持部材の一端部に支持ローラを回動自在に支持し、第２付勢部材により支持ローラを支持テーブルの表面に対応した基準面に接触する方向に付勢支持するので、支持ローラ及び基準面により支持部材を所定の位置に位置決めすることができ、回動レバー及びガイドローラを介して搬送ベルトを所定の位置に支持してシートを適正に搬送することができる。
【００２９】
請求項６の発明のシート搬送装置によれば、支持テーブルをフレームにシートの幅方向に沿って移動自在に支持し、基準面をフレームに設けるので、支持テーブルが移動しても、支持部材の位置が変更することはなく、常時回動レバー及びガイドローラを介して搬送ベルトを所定の位置に支持してシートを適正に搬送することができる。
【００３０】
請求項７の発明のシート搬送装置によれば、支持部材に対する支持ローラの取付位置を調整する支持ローラ調整機構を設けるので、支持ローラ調整機構により支持ローラの取付位置を調整することで、支持部材、回動レバー、ガイドローラを介して搬送ベルトの位置を調整することができる。
【００３１】
請求項８の発明のシート搬送装置によれば、調整部材に第１、第２搬送ベルトの隙間の調整量を表示する隙間調整量表示部を設けるので、隙間調整量表示部により第１、第２搬送ベルトの隙間の調整を容易に行うことができ、作業性を向上することができる。
【００３２】
請求項９の発明のシート搬送装置によれば、回動レバーにシートの幅方向に沿ってローラ支持軸を支持し、ローラ支持軸にガイドローラを複数回動自在に支持し、複数のガイドローラに第１、第２搬送ベルトのいずれか一方を案内するので、調整部材により回動レバーの回動角度を調整するだけで、複数の搬送ベルトの隙間を容易に調整することができ、作業性を向上することができる。
【００３３】
請求項１０の発明のシート搬送装置によれば、第１、第２搬送ベルトにより搬送されるシートの搬送経路の所定の位置にシートを当接して停止させるシート位置決め用ストッパを設け、ガイドローラをシート位置決め用ストッパよりシートの搬送方向の上流側に設けるので、シートがシート位置決め用ストッパに当接して停止するときの第１、第２搬送ベルトによりシートの挟持力を適正に調整することで、シートの損傷を抑制することができる。
【００３４】
また、請求項１１の発明の折機によれば、シートを挟持して搬送する第１、第２搬送ベルトと、第１、第２搬送ベルトにより搬送されるシートを当接して所定の位置に停止させるシート位置決め用ストッパと、シート位置決め用ストッパにより停止したシートをチョッパ折りするチョッパ折りブレードにより構成し、第１、第２搬送ベルトの隙間を調整する隙間調整手段として、フレームに支持される支持部材と、支持部材に回動自在に支持される回動レバーと、回動レバーの一端部に設けられて第１、第２搬送ベルトのいずれか一方を案内するガイドローラと、支持部材に対する前記回動レバーの回動角度を調整してガイドローラを移動することで第１、第２搬送ベルトの他方に対する第１、第２搬送ベルトの一方の相対位置を変更する調整部材を設けたので、調整部材により回動レバーの回動角度を調整するだけで、ガイドローラを移動して第１、第２搬送ベルトの相対位置を変更することで、この第１、第２搬送ベルトの隙間を容易に調整することができ、搬送ベルトの隙間を高精度に調整することでシート搬送精度を向上することができ、その結果、シート位置決め用ストッパによりシートを適正位置に停止させ、チョッパ折りブレードにより停止したシートを適正にチョッパ折りすることができ、シートとしての折帖の折り精度を向上することができる。
【発明を実施するための最良の形態】
【００３５】
以下に添付図面を参照して、本発明に係るシート搬送装置及び折機の好適な実施例を詳細に説明する。なお、この実施例により本発明が限定されるものではない。
【実施例】
【００３６】
図１は、本発明の一実施例に係るシート搬送装置における隙間調整装置を表す概略図（図３のＩ−Ｉ断面図）、図２は、本実施例の隙間調整装置における支持ローラの正面図（図１のII矢視図）、図３は、本実施例の隙間調整装置の平面図、図４は、本実施例の隙間調整装置の正面図、図５は、本実施例のシート搬送装置が適用された折機の概略構成図である。
【００３７】
本実施例のシート搬送装置が適用された折機において、図５に示すように、図示しない印刷ユニットにより印刷が施されたウェブは、その幅方向中央において２つ折り（縦折り）され、この状態で一対のニッピングローラに狭持されながら咥え胴と折胴の間へ送り込まれ、所定位置にて、幅方向に沿って切断されると共に横折されて折帖となる。この折帖は、咥え胴の爪により把持されてシート搬送装置１０に搬送される。このシート搬送装置１０は、上下一対の搬送ベルト（第１、第２搬送ベルト）１１，２１がこの折帖（シート）Ｓを挟持して搬送するものである。上搬送ベルト１１は無端ベルトであって、一つの駆動ローラ１２と、複数のガイドローラ１３〜２０により循環可能に支持されている。一方、下搬送ベルト２１は無端ベルトであって、一つの駆動ローラ２２と、複数のガイドローラ２３〜２９により循環可能に支持されている。
【００３８】
この上下の搬送ベルト１１，２１による折帖Ｓの搬送途中には、チョッパ折装置３１が設けられている。このチョッパ折装置３１は、折帖Ｓが当接して停止するシート位置決め用ストッパ３２と、このシート位置決め用ストッパ３２により停止した折帖Ｓを折り畳むチョッパブレード３３とを有している。このシート位置決め用ストッパ３２は、チョッパ折装置３１に搬送された折帖Ｓの下流側端の位置を規制するものであり、折帖Ｓの搬送方向に対して直角に向けられて配設されている。チョッパブレード３３は、このシート位置決め用ストッパ３２の折帖搬送方向の上流側にて、折帖Ｓの搬送方向に平行に向けて折帖Ｓの搬送ラインの略中央に配設されている。そして、このチョッパブレード３３は、図４に示すように、基端部が折帖Ｓの幅方向の一方側に回動自在に支持されたチョッパアーム３４の先端部に固定され、搬送ベルト１１，２１の上方からその隙間へ下降可能となっている。また、チョッパ折装置３１の下方には、折帖Ｓの搬送方向に沿った回転軸心を有する左右一対の折込ローラ３５，３６が駆動回転可能に設けられている。
【００３９】
従って、折帖Ｓがシート搬送装置１０の搬送ベルト１１，２１により挟持されながらチョッパ折装置３１へ搬送されると、この折帖Ｓは、前端が所定位置でシート位置決め用ストッパ３２に当接して停止することで位置決めがなされ、この折帖Ｓの停止位置で、チョッパブレード３３が下降することで、折帖Ｓが搬送ベルト１１，２１の下方に押し込まれながら２つに折り畳まれ、一対の折込ローラ３５，３６に挟持されて排紙される。
【００４０】
ところで、上述した折機にて、シート搬送装置１０の上下一対の搬送ベルト１１，２１は、その挟持力により折帖Ｓを保持して搬送するものであり、この折帖Ｓを確実に保持して精度良く搬送するためには、比較的高い挟持力に設定することが望ましい。一方、チョッパ折装置３１では、搬送ベルト１１，２１に挟持された折帖Ｓをシート位置決め用ストッパ３２に当接して停止した状態で、チョッパブレード３３を下降して折り畳むものであることから、搬送ベルト１１，２１による折帖Ｓの挟持力が高すぎると、折帖Ｓがシート位置決め用ストッパ３２に当接したとき、また、折帖Ｓがシート位置決め用ストッパ３２に押し付けられた状態でチョッパブレード３３により下方に押し込まれるとき、折帖Ｓの前端に破れや傷などが発生して折精度が低下してしまう。そのため、本実施例のシート搬送装置１０には、図１に示すように、上下一対の搬送ベルト１１，２１による折帖の挟持力、つまり、チョッパ折装置３１の搬送ベルト１１，２１の間の隙間を適正に調整する隙間調整装置４１が設けられている。
【００４１】
本実施例では、シート位置決め用ストッパ３２に対して、折帖Ｓの搬送方向の上流側にガイドローラ１３が位置し、下流側にガイドローラ１４が位置し、ガイドローラ１４は、上搬送ベルト１１がこのシート位置決め用ストッパ３２を迂回するようにその上方に位置している。そして、本実施例の隙間調整装置４１は、シート位置決め用ストッパ３２より折帖搬送方向の上流側に設けられるガイドローラ１３を移動することで、下搬送ベルトに対して上搬送ベルト２１を移動して両者の間の隙間を調整するものである。
【００４２】
図１乃至図４に示すように、上搬送ベルト１１は、折帖Ｓの幅方向の中心位置からその幅方向の両側に、それぞれ４本ずつ分けられた上搬送ベルト本体１１ａ〜１１ｈにより構成され、各上搬送ベルト本体１１ａ〜１１ｈの間には、所定の隙間が確保されている。一方、下搬送ベルト１１も同様に、折帖Ｓの幅方向の中心位置からその幅方向の両側に、それぞれ４本ずつ分けられた下搬送ベルト本体２１ａ〜２１ｈにより構成され、各下搬送ベルト本体２１ａ〜２１ｈの間には、所定の隙間が確保されている。そして、シート位置決め用ストッパ３２は、搬送ベルト１１，２１により搬送された折帖Ｓの幅方向に沿うと共に、搬送ベルト１１，２１に対して直立して配設され、下端部が各上搬送ベルト本体１１ａ〜１１ｈの隙間及び各下搬送ベルト本体２１ａ〜２１ｈの隙間を通って下方に延出されている。チョッパブレード３３は、このシート位置決め用ストッパ３２の折帖搬送方向の上流側にて、上方から上搬送ベルト本体１１ｄ，１１ｅの隙間及び下搬送ベルト本体２１ｄ，２１ｅの隙間を通って下方に移動可能となっている。
【００４３】
左右のフレーム４２，４３には、第１支持軸４４の端部がそれぞれ固定されると共に、各フレーム４２，４３に連結された左右の支持板４５，４６には、第２支持軸４７の端部が固定されている。４つの第１支持アーム４８ａ〜４８ｄは、折帖Ｓの幅方向に所定間隔で配置され、基端部が第１支持軸４４に固結されている。そして、第１支持アーム４８ａ，４８ｂは、先端部にローラ支持軸４９ａが支持され、このローラ支持軸４９ａに、ガイドローラ１５を構成する４つのガイドローラ１５ａ〜１５ｄが回転自在に支持されている。また、第１支持アーム４８ｃ，４８ｄは、先端部にローラ支持軸４９ｂが支持され、このローラ支持軸４９ｂに、ガイドローラ１５を構成する４つのガイドローラ１５ｅ〜１５ｈが回転自在に支持されている。
【００４４】
なお、第１支持アーム４８ａ〜４８ｄに対するガイドローラ１５ａ〜１５ｈの支持構造は、ほぼ同様の構成となっており、例えば、図１に示すように、第１支持アーム４８ｄの先端側に取付アーム５０の上端部が取付ボルト５１により固定され、この取付アーム５０の下端部にローラ支持軸４９ｂを介してガイドローラ１５ｈが回転自在に支持されており、調整ボルト５２が第１支持アーム４８ｄを貫通して取付アーム５０に螺合している。従って、取付ボルト５１を弛緩して第１支持アーム４８ｄに対する取付アーム５０の連結を解除し、調整ボルト５２を回転して取付アーム５０を上下動させることで、ガイドローラ１５ｈを上下動し、下搬送ベルト本体２１ｈに対して上搬送ベルト本体１１ｈを上下動し、両者の隙間を調整することができる。
【００４５】
第２支持軸４７の外周面には、カラー５３が回動自在に嵌合しており、４つの第２支持アーム（支持部材）５４ａ〜５４ｄは、折帖Ｓの幅方向に所定間隔で配置され、長手方向における中間部がこのカラー５３に締結ボルト５５ａ〜５５ｄにより固結されている。また、４つの回動アーム５６ａ〜５６ｄは、折帖Ｓの幅方向に所定間隔で、且つ、第２支持アーム５２ａ〜５２ｄに隣接して配置され、長手方向における中間部がカラー５３に回転自在に嵌合している。即ち、４つの第２支持アーム５４ａ〜５４ｄは、カラー５３により第２支持軸４７に対して一体に回転可能となっている。
【００４６】
エアシリンダ（第２付勢手段）５７は、基端部が連結部材５８を介してフレーム４３に連結され、駆動ロッド５９の先端部が１つの第２支持アーム５４ｄの基端部に連結軸５９ａにより枢着されている。また、１つの第２支持アーム５４ｄは、先端部に取付ブラケット６１のガイド部６１ａが嵌合し、２つの取付ボルト６２により固定されている。そして、この取付ブラケット６１の下端部にローラ支持軸６３により支持ローラ６４が回転自在に支持されている。また、第２支持アーム５４ｄの先端部には、その上方から調整ボルト（支持ローラ調整機構）６５が貫通し、先端部が取付ブラケット６１に螺合している。
【００４７】
また、下搬送ベルト２１（下搬送ベルト本体２１ｄ，２１ｅ）の下方には、支持テーブル６６が配設されている。左右のフレーム４２，４３には、支持台６７が固定されており、この支持台６７上に支持テーブル６６が折帖Ｓの幅方向に沿って移動自在に支持されており、支持台６７における折帖Ｓの幅方向の一方側に基準面Ｆが形成されている。上述した第２支持アーム５４ｄの支持ローラ６４は、折帖Ｓの幅方向に沿ったローラ支持軸６３により回転自在に支持されており、この支持ローラ６４は、支持台６７の基準面Ｆに接触し、且つ、転動自在となっている。なお、支持テーブル６６には、折帖Ｓの幅方向おける中央部にチョッパブレード３３が挿通可能なスリット６６ａが形成されている。
【００４８】
従って、エアシリンダ５７には常時エアを供給しているため、駆動ロッド５９が伸長し、第２支持アーム５４ｄが図１にて時計回り方向に回動する応力が作用し、支持ローラ６４が支持台６７の基準面Ｆに接触した角度位置に位置決めされる。この状態で、２つの取付ボルト６２を弛緩して第２支持アーム５４ｄに対する取付ブラケット６０の連結を解除し、調整ボルト６５を回転し、第２支持アーム５４ｄに対する支持ローラ６４の位置を変更することで、２支持アーム５４ｄを回動してその位置決め角度位置を調整することができる。
【００４９】
４つの回動アーム５６ａ〜５６ｄのうち、回動アーム５６ａ，５６ｂは、先端部にローラ支持軸６８ａ，６９ａが支持され、このローラ支持軸６８ａ，６９ａに、ガイドローラ１３を構成する４つのガイドローラ１３ａ〜１３ｄ、ガイドローラ１４を構成する４つのガイドローラ１４ａ〜１４ｄがそれぞれ回転自在に支持されている。また、回動アーム５６ｃ，５６ｄは、先端部にローラ支持軸６８ｂ，６９ｂが支持され、このローラ支持軸６８ｂ，６９ｂに、ガイドローラ１３を構成する４つのガイドローラ１３ｅ〜１３ｈ、ガイドローラ１４を構成する４つのガイドローラ１４ｅ〜１４ｈがそれぞれ回転自在に支持されている。
【００５０】
そして、４つの第２支持アーム５４ａ〜５４ｄには、隣接する各回動アーム５６ａ〜５６ｄの回動角度を調整してガイドローラ１３ａ〜１３ｈを移動することで、下搬送ベルト２１（下搬送ベルト本体２１ａ〜２１ｈ）に対する上搬送ベルト１１（上搬送ベルト本体１１ａ〜１１ｈ）の位置を変更する調整部材７１ａ〜７１ｄが設けられている。この場合、回動アーム５６ａ〜５６ｄは、第２支持アーム５４ａ〜５４ｄの一端部側に設けられた調整部材７１ａ〜７１ｄにより一方方向に回動可能であると共に、他端部側に設けられた圧縮スプリング（第１付勢部材）７２ａ〜７２ｄにより他方方向に回動付勢支持されている。
【００５１】
なお、各第２支持アーム５４ａ〜５４ｄ及び各回動アーム５６ａ〜５６ｄに設けられた調整部材７１ａ〜７１ｄ及び圧縮スプリング７２ａ〜７２ｄは、ほぼ同様の構成をなしているため、以下では、第２支持アーム５４ｄ及び回動アーム５６ｄに設けられた調整部材７１ｄ及び圧縮スプリング７２ｄについて詳細に説明する。
【００５２】
即ち、図１に詳細に示すように、第２支持アーム５４ｄの基端部には、支持ブラケット７３が固定されており、この支持ブラケット７３には押圧部材７４が周方向に移動不能で、且つ、軸方向に移動自在に支持されている。この押圧部材７４は、基端部にねじ軸７５が固定される一方、先端部に回動アーム５６ｄの基端部に形成された被押圧面を押圧する円弧形状をなす押圧面７４ａが形成されている。ねじ筒７６は、外周ねじ７６ａが支持ブラケット７３に螺合し、内周ねじ７６ｂがねじ軸７５に螺合しており、基端部に操作軸７７を介して調整ノブ７８が固定されている。止めねじ７９は支持ブラケット７３にねじ軸７５の直行する方向に螺合し、先端がこのねじ軸７５に係止可能となっている。
【００５３】
操作軸７７には、周方向に相対回転可能で、且つ、軸方向に一体的に移動可能なインジケータ（隙間調整量表示部）８０が設けられており、基端部が支持ブラケット７３の固定された指針８１の先端部がこのインジケータ８０を指している。なお、ねじ筒７６における外周ねじ７６ａのピッチに対して内周ねじ７６ｂ（ねじ軸７５）のピッチが小さく設定されている。
【００５４】
また、第２支持アーム５４ｄの基端部には、持ブラケット７３に対向して取付ブラケット８２が固定され、この取付ブラケット８２に押圧部材７４に対向するストッパピン８３が螺合しており、先端が回動アーム５６ｄの係止面に接触可能となっている。
【００５５】
一方、第２支持アーム５４ｄの先端部には、支持ブロック８４が支持ボルト８５により固定されており、支持ブロック８４と回動アーム５６ｄとの間に圧縮スプリング７２ｄが介装されている。この圧縮スプリング７２ｄは、付勢力により第２支持アーム５４ｄに対して回動アーム５６ｄを図１にて時計回り方向に付勢支持している。
【００５６】
従って、ストッパピン８３を回動して先端と回動アーム５６ｄの係止面との間に隙間を設けた状態で、調整ノブ７８によりねじ筒７６を正回転させると、このねじ筒７６が前進し、外周ねじ７６ａと内周ねじ７６ｂのピッチ差によりねじ軸７５が回転せずに前進する。すると、押圧部材７４が前進して押圧面７４ａが回動アーム５６ｄの被押圧面を押圧することで、この回動アーム５６ｄを圧縮スプリング７２ｄの付勢力に抗して図１にて反時計回り方向に回動することができる。一方、調整ノブ７８によりねじ筒７６を逆回転させると、このねじ筒７６が後退し、外周ねじ７６ａと内周ねじ７６ｂのピッチ差によりねじ軸７５が回転せずに後退する。すると、押圧部材７４が後退して押圧面７４ａが回動アーム５６ｄの被押圧面を押圧するのをやめ、この回動アーム５６ｄは圧縮スプリング７２ｄの付勢力により図１にて時計回り方向に回動することができる。
【００５７】
回動アーム５６ｄが回動すると、この回動アーム５６ｄに支持されたガイドローラ１３ｈを上下に移動することができ、後述するように、下搬送ベルト２１に対して上搬送ベルト１１が接近離反し、この搬送ベルト１１，２１の隙間を調整することができる。このとき、指針８１に対して、ねじ筒７６と共にインジケータ８０が移動することで、その移動量、つまり、搬送ベルト１１，２１の隙間の調整量を表示することができる。
【００５８】
なお、ここでは、調整部材７１ｄについて説明したが、他の調整部材７１ａ〜７１ｃについても同様である。但し、ガイドローラ１３ａ〜１３ｄは、ローラ支持軸６８ａを介して２つの回動アーム５６ａ，５６ｂにより支持され、ガイドローラ１３ｅ〜１３ｈは、ローラ支持軸６８ｂを介して２つの回動アーム５６ｃ，５６ｄにより支持されている。そのため、調整部材７１ａ，７１ｂにより回動アーム５６ａ，５６ｂを回動することで、ガイドローラ１３ａ〜１３ｄを介して上搬送ベルト本体１１ａ〜１１ｄを移動し、調整部材７１ｃ，７１ｄにより回動アーム５６ｃ，５６ｄを回動することで、ガイドローラ１３ｅ〜１３ｈを介して上搬送ベルト本体１１ｅ〜１１ｈを移動することとなる。
【００５９】
ここで、上述した本実施例の折機の作用について説明する。
【００６０】
本実施例の折機において、図５に示すように、折帖Ｓがシート搬送装置１０に送られると、上下の搬送ベルト１１，２１（搬送ベルト本体１１ａ〜１１ｈ、２１ａ〜２１ｈ）に挟持されながらチョッパ折装置３１へ搬送されると、折帖Ｓの前端がシート位置決め用ストッパ３２に当接して停止することで位置決めがなされ、このとき、チョッパブレード３３が下降することで、折帖Ｓが搬送ベルト１１，２１の下方に押し込まれながら２つに折り畳まれ、一対の折込ローラ３５，３６に挟持されて排紙される。
【００６１】
この折機による作業で、使用する紙の厚さや材質などが変更されたときには、搬送ベルト１１，２１の間の隙間を変更して折帖Ｓの挟持力を調整する必要がある。特に、折帖Ｓがシート位置決め用ストッパ３２に当接して位置決めしたときの搬送ベルト１１，２１の挟持力を適正に調整する必要がある。
【００６２】
この場合、上述したように、調整部材７１ａ，７１ｂにより回動アーム５６ａ，５６ｂを回動し、ガイドローラ１３ａ〜１３ｄを移動することで、上搬送ベルト本体１１ａ〜１１ｄを移動して隙間を調整し、調整部材７１ｃ，７１ｄにより回動アーム５６ｃ，５６ｄを回動し、ガイドローラ１３ｅ〜１３ｈを移動することで、上搬送ベルト本体１１ｅ〜１１ｈを移動して無隙間を調整する。
【００６３】
即ち、図１及び図３に示すように、調整部材７１ａ，７１ｂのストッパピン８３を緩めて回動アーム５６ａ，５６ｂを回動可能とした状態で、各調整ノブ７８により操作軸７７を介してねじ筒７６を回転させる。すると、ねじ筒７６の回転に伴ってねじ筒７６と共に押圧部材７４が移動し、回動アーム５６ａ，５６ｂが回動する。この場合、調整ノブ７８を正回転させると、押圧部材７４が前進して回動アーム５６ａ，５６ｂを押圧することで、この回動アーム５６ａ，５６ｂが圧縮スプリング７２ａ，７２ｂの付勢力に抗して一方方向に回動する。そのため、回動アーム５６ａ，５６ｂの回転によりガイドローラ１３ａ〜１３ｄが上昇し、下搬送ベルト本体２１ａ〜２１ｄに対して上搬送ベルト本体１１ａ〜１１ｄが離反し、搬送ベルト本体１１ａ〜１１ｄ，２１ａ〜２１ｄの隙間を大きくすることができる。このとき、作業者は、指針８１によりインジケータ８０の指す位置を確認することで、搬送ベルト本体１１ａ〜１１ｄ，２１ａ〜２１ｄの隙間の調整量を把握することができる。調整終了後には、ストッパピン８３を締結して回動アーム５６ａ，５６ｂを回動不能とする。
【００６４】
一方、調整ノブ７８を逆回転させると、押圧部材７４が後退して回動アーム５６ａ，５６ｂが圧縮スプリング７２ａ，７２ｂの付勢力により他方方向に回動する。そのため、回動アーム５６ａ，５６ｂの回転によりガイドローラ１３ａ〜１３ｄが下降し、下搬送ベルト本体２１ａ〜２１ｄに対して上搬送ベルト本体１１ａ〜１１ｄが接近し、搬送ベルト本体１１ａ〜１１ｄ，２１ａ〜２１ｄの隙間を小さくすることができる。このとき、作業者は、指針８１によりインジケータ８０の指す位置を確認することで、搬送ベルト１１ａ〜１１ｄ，２１ａ〜２１ｄの隙間の調整量を把握することができる。調整終了後には、ストッパピン８３を締結して回動アーム５６ｃ，５６ｄを回動不能とする。
【００６５】
このように調整部材７１ａ，７１ｂを用いて上搬送ベルト本体１１ａ〜１１ｄと下搬送ベルト本体２１ａ〜２１ｄとの隙間を調整したら、続いて、前述と同様の作業により、調整部材７１ｃ，７１ｄを用いて上搬送ベルト本体１１ｅ〜１１ｈと下搬送ベルト本体２１ｅ〜２１ｈとの隙間を調整する。
【００６６】
ところで、チョッパブレード３３による折帖Ｓの折り畳み位置をその幅方向に変更するときには、このチョッパブレード３３と共に支持テーブル６６を折帖Ｓの幅方向に移動する。このとき、１つの支持アーム５４ｄは、支持ローラ６４が支持テーブル６６とは別の基準面Ｆ上にあることから、支持テーブル６６の移動位置に拘らず、搬送ベルト本体１１ｅ〜１１ｈと下搬送ベルト本体２１ｅ〜２１ｈとの隙間は変動せず、隙間を再調整する必要はない。
【００６７】
なお、全ての搬送ベルト本体１１ｅ〜１１ｈと下搬送ベルト本体２１ｅ〜２１ｈの隙間を同時に調整する場合には、支持ローラ６４の支持位置を変更する。即ち、取付ボルト６２を弛緩して第２支持アーム５４ｄに対する取付ブラケット６０の連結を解除し、この状態で、調整ボルト６５を回転して第２支持アーム５４ｄに対して支持ローラ６４を上下動する。すると、第２支持アーム５４ｄが回動し、この第２支持アーム５４ｄとカラー５３を介して連結されている他の第２支持アーム５４ａ〜５４ｃが同様に回動する。そのため、第２支持アーム５４ａ〜５４ｄに支持されている全ての回動アーム５６ａ〜５６ｄが同方向に同量だけ回動し、全てのガイドローラ１３ａ〜１３ｈが上下動し、下搬送ベルト本体２１ａ〜２１ｈに対して上搬送ベルト本体１１ａ〜１１ｈが接近離反し、搬送ベルト本体１１ａ〜１１ｄ，２１ａ〜２１ｄの隙間を調整することができる。
【００６８】
このように本実施例のシート搬送装置にあっては、折帖Ｓを挟持して搬送する上下の搬送ベルト１１，２１と、この搬送ベルト１１，２１（搬送ベルト本体１１ａ〜１１ｈ，２１ａ〜２１ｈ）の間に形成される隙間を調整する隙間調整装置４１を設け、この隙間調整装置４１として、フレーム４２，４３の第２支持軸４７に支持される第２支持アーム５４ａ〜５４ｄと、この第２支持アーム５４ａ〜５４ｄに対して回動自在に支持される回動レバー５６ａ〜５６ｄと、この回動レバー５６ａ〜５６ｄの先端に設けられて上搬送ベルト本体１１ａ〜１１ｈ（上搬送ベルト１１）を案内するガイドローラ１３ａ〜１３ｈと、第２支持アーム５４ａ〜５４ｄに対する回動レバー５６ａ〜５６ｄの回動角度を調整してガイドローラ１３ａ〜１３ｈを移動することで下搬送ベルト本体２１ａ〜２１ｈに対する上搬送ベルト本体１１ａ〜１１ｈの相対位置を変更する調整部材７１ａ〜７１ｄを設けている。
【００６９】
従って、調整部材７１ａ〜７１ｄにより回動レバー５６ａ〜５６ｄの回動角度を調整するだけで、ガイドローラ１３ａ〜１３ｈを移動して上搬送ベルト本体１１ａ〜１１ｈの位置を変更することで、上下の搬送ベルト本体１１ａ〜１１ｈ，２１ａ〜２１ｈの隙間を容易に調整することができ、搬送ベルト１１，２１の隙間を高精度に調整することで折帖Ｓの搬送精度を向上することができる。
【００７０】
また、本実施例のシート搬送装置では、回動レバー５６ａ〜５６ｄを調整部材７１ａ〜７１ｄにより一方方向に回動可能とすると共に、圧縮スプリング７２ａ〜７２ｄにより他方方向に回動付勢支持している。従って、調整部材７１ａ〜７１ｄにより回動レバー５６ａ〜５６ｄを回動するだけで、ガイドローラ１３ａ〜１３ｈを移動して上搬送ベルト本体１１ａ〜１１ｈの位置を変更し、搬送ベルト１１，２１の隙間を容易に調整することができ、調整作業の操作性を向上することができる。
【００７１】
また、本実施例のシート搬送装置では、回動レバー５６ａ〜５６ｄの中間部を第２支持アーム５４ａ〜５４ｄと共に第２支持軸４７に回動自在に支持し、一端部側に調整部材７１ａ〜７１ｄを設けて他端部側に圧縮スプリング７２ａ〜７２ｄを設けている。従って、調整部材７１ａ〜７１ｄによる搬送ベルト１１，２１の隙間の調整作業の操作性を向上することができると共に、圧縮スプリング７２ａ〜７２ｄの付勢力により回動レバー５６ａ〜５６ｄを第２支持軸４７に押し付けることで、回動レバー５６ａ〜５６ｄと第２支持軸４７とのがたつきを防止することができる。
【００７２】
また、本実施例のシート搬送装置では、第２支持アーム５４ａ〜５４ｄ及び回動レバー５６ａ〜５６ｄを共通の第２支持軸４７をもって回動自在に支持し、第２支持アーム５４ａ〜５４ｄに設けられた調整部材７１ａ〜７１ｄにより回動レバー５６ａ〜５６ｄの回動角度を調整可能としている。従って、第２支持アーム５４ａ〜５４ｄ及び回動レバー５６ａ〜５６ｄの支持構造を簡素化することで、全体構造の簡素化を図ることができる。
【００７３】
また、本実施例のシート搬送装置では、搬送ベルト１１，２１の下方に支持テーブル６６を配設し、第２支持アーム５４ａ〜５４ｄの一端部に支持ローラ６４を回動自在に支持し、エアシリンダ５７の付勢力により支持ローラ６４を支持テーブル６６の表面に対応した基準面Ｆに接触する方向に付勢支持している。従って、支持ローラ６４及び基準面Ｆにより第２支持アーム５４ａ〜５４ｄを所定の位置に位置決めすることができ、回動レバー５６ａ〜５６ｄ及びガイドローラ１３ａ〜１３ｈを介して上搬送ベルト１１を所定の位置に支持して折帖Ｓを適正に搬送することができる。
【００７４】
また、本実施例のシート搬送装置では、支持テーブル６６をフレーム４２，４３の支持台６７に折帖Ｓの幅方向に沿って移動自在に支持し、基準面Ｆを支持台６７に設けている。従って、支持テーブル６６が移動しても、第２支持アーム５４ａ〜５４ｄの位置が変更することはなく、常時回動レバー５６ａ〜５６ｄ及びガイドローラ１３ａ〜１３ｈを介して上搬送ベルト１１を所定の位置に支持して折帖Ｓを適正に搬送することができる。
【００７５】
また、本実施例のシート搬送装置では、第２支持アーム５４ａ〜５４ｄに対する支持ローラ６４の取付位置を調整する調整ねじ６５を設けている。従って、調整ねじ６５により支持ローラ６４の取付位置を調整することで、第２支持アーム５４ａ〜５４ｄ、回動レバー５６ａ〜５６ｄ、ガイドローラ１３ａ〜１３ｈを介して上搬送ベルト１１の位置を調整することができる。
【００７６】
また、本実施例のシート搬送装置では、調整部材７１ａ〜７１ｄに搬送ベルト１１，２１の隙間の調整量を表示するインジケータ８０を設けている。従って、インジケータ８０により搬送ベルト１１，２１の隙間の調整を容易に行うことができ、作業性を向上することができる。
【００７７】
この場合、第２支持アーム５４ｄの基端部の支持ブラケット７３に押圧部材７４を移動自在に支持し、この押圧部材７４にねじ軸７５を固定し、ねじ筒７６の外周ねじ７６ａを支持ブラケット７３に螺合する一方、内周ねじ７６ｂをねじ軸７５に螺合し、基端部に操作軸７７を介して調整ノブ７８が固定しており、操作軸７７にインジケータ８０を設け、支持ブラケット７３に指針８１を設け、外周ねじ７６ａのピッチに対して内周ねじ７６ｂ（ねじ軸７５）のピッチを小さく設定している。従って、ねじ軸７５の移動量に対してねじ筒７６、つまり、インジケータ８０の移動量を大きくすることで、インジケータ８０により搬送ベルト１１，２１の隙間の調整量を拡大して表示することができ、作業性を向上することができる。
【００７８】
また、本実施例のシート搬送装置では、回動レバー５６ａ〜５６ｄの先端部に折帖Ｓの幅方向に沿ってローラ支持軸６８ａ〜６８ｄを支持し、ローラ支持軸６８ａ〜６８ｄにガイドローラ１３ａ〜１３ｈを複数回動自在に支持し、複数のガイドローラ１３ａ〜１３ｈに上搬送ベルト本体１１ａ〜１１ｈを案内している。従って、調整部材７１ａ〜７１ｄにより回動レバー５６ａ〜５６ｄの回動角度を調整するだけで、複数の上搬送ベルト本体１１ａ〜１１ｈの隙間を容易に調整することができ、作業性を向上することができる。
【００７９】
また、本実施例のシート搬送装置では、搬送ベルト１１，２１により搬送される折帖Ｓの搬送経路の所定の位置にシートを当接して停止させるシート位置決め用ストッパ３２を設け、ガイドローラ１３ａ〜１３ｈをシート位置決め用ストッパ２３より折帖Ｓの搬送方向の上流側に設けている。従って、折帖Ｓがシート位置決め用ストッパ３２に当接して停止するときの搬送ベルト１１，２１により折帖Ｓの挟持力を適正に調整することで、折帖Ｓの損傷を抑制することができる。
【００８０】
更に、本実施例の折機にあっては、折帖Ｓを挟持して搬送する上下の搬送ベルト１１，２１と、この搬送ベルト１１，２１（搬送ベルト本体１１ａ〜１１ｈ，２１ａ〜２１ｈ）と、搬送ベルト１１，２１により搬送される折帖Ｓを当接して所定の位置に停止させるシート位置決め用ストッパ３２と、シート位置決め用ストッパ３２により停止した折帖Ｓをチョッパ折りするチョッパ折りブレード３３により構成し、搬送ベルト１１，２１（搬送ベルト本体１１ａ〜１１ｈ，２１ａ〜２１ｈ）の間に形成される隙間を調整する隙間調整装置４１を設けている。
【００８１】
従って、隙間調整装置４１の調整部材７１ａ〜７１ｄにより回動レバー５６ａ〜５６ｄの回動角度を調整するだけで、ガイドローラ１３ａ〜１３ｈを移動して上搬送ベルト本体１１ａ〜１１ｈの位置を変更することで、上下の搬送ベルト本体１１ａ〜１１ｈ，２１ａ〜２１ｈの隙間を容易に調整することができ、搬送ベルト１１，２１の隙間を高精度に調整することで折帖Ｓの搬送精度を向上することができる。その結果、シート位置決め用ストッパ３２により折帖Ｓを適正位置に停止させ、チョッパ折りブレード３３により停止した折帖Ｓを適正にチョッパ折りすることができ、折帖Ｓの折り精度を向上することができる。
【００８２】
なお、上述した実施例では、搬送ベルト１１，２１による折帖Ｓの搬送経路上であって、シート位置決め用ストッパ３２より折帖Ｓの搬送方向の上流側にガイドローラ１３ａ〜１３ｈを設け、このガイドローラ１３ａ〜１３ｈを上下に移動して搬送ベルト本体１１ａ〜１１ｈ，２１ａ〜２１ｈの隙間を調整する隙間調整装置４１を設けたが、この位置に限定されるものではない。例えば、隙間調整装置４１をシート位置決め用ストッパ３２より折帖Ｓの搬送方向の下流側のガイドローラ１５ａ〜１５ｈに対して設けたり、折帖Ｓの搬送経路の端部のガイドローラ１２，１６に対して設けてもよいものである。
【００８３】
また、上述した実施例では、隙間調整装置４１により上搬送ベルト１１（上搬送ベルト本体１１ａ〜１１ｈ）を支持するガイドローラ１３ａ〜１３ｈを移動可能としたが、下搬送ベルト（下搬送ベルト本体２１ａ〜２１ｈ）を支持するガイドローラに対して設けてもよいものである。
【００８４】
更に、本実施例では、シート搬送装置１０をチョッパ折装置３１を有する折機に適用したが、別の折機に適用してもよく、また、印刷ユニットなど別の部分に適用してもよい。
【産業上の利用可能性】
【００８５】
本発明に係るシート搬送装置及び折機は、シートを挟持して搬送する一対の搬送ベルトの隙間を高精度に調整してシート搬送精度の向上を図ると共に折り精度の向上を図るものであり、いずれの印刷機にも適用することができる。
【図面の簡単な説明】
【００８６】
【図１】本発明の一実施例に係るシート搬送装置における隙間調整装置を表す概略図（図３のＩ−Ｉ断面図）である。
【図２】本実施例の隙間調整装置における支持ローラの正面図（図１のII矢視図）である。
【図３】本実施例の隙間調整装置の平面図である。
【図４】本実施例の隙間調整装置の正面図である。
【図５】本実施例のシート搬送装置が適用された折機の概略構成図である。
【図６】従来のチョッパ折部における搬送ベルトの隙間調整装置の概略図である。
【符号の説明】
【００８７】
１０  シート搬送装置
１１  上搬送ベルト
１１ａ〜１１ｈ  上搬送ベルト本体
１３，１３ａ〜１３ｈ  ガイドローラ
２１  下搬送ベルト
２１ａ〜２１ｈ  下搬送ベルト本体
３１  チョッパ折装置
３２  シート位置決めストッパ
３３  チョッパブレード
４１  隙間調整装置
４２．４３  フレーム
４７  第１支持軸
５３  カラー
５４ａ〜５４ｄ  第２支持アーム（支持部材）
５６ａ〜５６ｄ  回動アーム
５７  エアシリンダ（第２付勢手段）
６４  支持ローラ
６５  調整ボルト（支持ローラ調整機構）
６６  支持テーブル
６８ａ〜６８ｈ  ローラ支持軸
７１ａ〜７２ｄ  調整部材
７２ａ〜７２ｄ  圧縮スプリング（第１付勢手段）
８０  インジケータ（隙間調整量表示部）
Ｆ  基準面
【図１】
2009018885.tif 000003
【図２】
2009018885.tif 000004
【図３】
2009018885.tif 000005
【図４】
2009018885.tif 000006
【図５】
2009018885.tif 000007
【図６】
2009018885.tif 000008